(57)【要約】【課題】  万が一、何らかの原因により蓋体の少なくとも一部が変位して開口部を塞げなくなっても、洗浄水タンクから洗浄水が溢れ出ることを防ぐことが可能な洗浄水供給装置を提供することを目的とする。【解決手段】  洗浄水タンク内に設けられ、洗浄水タンクの貯水部に洗浄水を供給する洗浄水供給装置であって、洗浄水流路と、洗浄水流路の中途に設けられた開閉弁と、開閉弁の上流側に位置する洗浄水流路の一部を洗浄水流路外部に連通させる開口部と、開口部を塞ぐ蓋体と、蓋体の少なくとも開口部に対面する天井部を覆うカバー部材と、を備え、カバー部材は、洗浄水流路に入水した洗浄水の水圧により蓋体が変位していないときは、天井部との間に所定の間隙を保持し、洗浄水流路に入水した洗浄水の水圧により蓋体の少なくとも一部がカバー部材に向けて変位したときは、蓋体の変位量を所定の間隙の範囲内に規制する。【選択図】  図３
2014070395.tif 000002
【特許請求の範囲】
【請求項１】
便器を洗浄する洗浄水を貯留する貯水部を有する洗浄水タンク内に設けられ、前記貯水部に洗浄水を供給する洗浄水供給装置であって、
洗浄水が入水する入水口と洗浄水を前記貯水部内に吐水する吐水口とを連通する洗浄水流路と、
この洗浄水流路の中途に設けられた開閉弁と、
この開閉弁の上流側に位置する前記洗浄水流路の一部を、前記洗浄水流路の外部に連通させる開口部と、
この開口部を塞ぐ蓋体と、
この蓋体の少なくとも前記開口部に対面する天井部を覆うカバー部材と、を備え、
前記カバー部材は、
前記洗浄水流路に入水した洗浄水の水圧により前記蓋体が変位していないときは、前記天井部との間に所定の間隙を保持し、
前記洗浄水流路に入水した洗浄水の水圧により前記蓋体の少なくとも一部が前記カバー部材に向けて変位したときは、前記蓋体の変位量を前記所定の間隙の範囲内に規制することを特徴とする洗浄水供給装置。
【請求項２】
前記カバー部材は、前記蓋体の少なくとも一部の変位の方向をガイドするガイド部を有することを特徴とする請求項１に記載の洗浄水供給装置。
【請求項３】
前記洗浄水流路内に設けられ、前記蓋体の少なくとも一部の変位の方向をガイドするガイド手段を備えることを特徴とする請求項１または請求項２に記載の洗浄水供給装置。
【請求項４】
前記カバー部材は、下端が開口した逆有底筒状であり、その内底部が前記天井部に対面した状態で前記蓋体と係合し、
前記蓋体の少なくとも一部が変位することにより、前記カバー部材の内部には、前記開口部から前記カバー部材の下端開口を介して、洗浄水を前記洗浄水流路外へと案内する案内流路が形成されることを特徴とする請求項２または請求項３に記載の洗浄水供給装置。
【請求項５】
前記洗浄水流路内の前記開口部よりも上流側に設けられ、洗浄水の流量を一定に制限する定流量手段をさらに備えることを特徴とする請求項４に記載の洗浄水供給装置。
【請求項６】
便器を洗浄する洗浄水を貯留する洗浄水タンクであって、前記請求項１〜５のいずれか１項に記載の洗浄水供給装置を備えることを特徴とする洗浄水タンク。
【発明の詳細な説明】
【技術分野】
【０００１】
本発明は、洗浄水を供給する洗浄水供給装置及びそれを備えた洗浄水タンクに関する。
【背景技術】
【０００２】
従来、便器を洗浄する洗浄水を貯留する貯水部を有する洗浄水タンク内に設けられ、貯水部に洗浄水を供給する洗浄水供給装置として、洗浄水供給装置内部の流路を開閉する開閉弁の上流側に、ストレーナを挿着したものが知られている（例えば、特許文献１参照。）。この種の洗浄水供給装置においては、ストレーナが挿着される開口部は、洗浄水供給装置内部の流路と連通しているために、通常、蓋体により塞がれる。
【先行技術文献】
【特許文献】
【０００３】
【特許文献１】特開平１０−２４５８７９号公報
【発明の概要】
【発明が解決しようとする課題】
【０００４】
上述したような開閉弁の上流側に開口部を有する洗浄水供給装置においては、例えば、酸性洗剤、アルカリ性洗剤や芳香洗浄剤の付着による劣化を原因として蓋体が破損し、蓋体にて開口部を塞げなくなった場合、開口部から漏水が発生する可能性がある。ただし、洗浄水供給装置を内部に有する洗浄水タンクは一般的にオーバーフロー管を備えているため、開口部からの漏水は洗浄水タンクからオーバーフロー管を介して便器へと流される。しかしながら、万が一、開口部から短時間で多量の漏水が発生し、その漏水をオーバーフロー管で流し切れなかった場合、洗浄水タンクから洗浄水が溢れ出て、便器の設置されたトイレ空間の床面や壁面を濡らしてしまうという懸念があった。
【０００５】
本発明は、上述した問題を解決するためになされたものであり、万が一、何らかの原因により蓋体の少なくとも一部が変位して開口部から漏水が発生した場合であっても、その漏水の水量を適切な量に制限することができ、洗浄水タンクから洗浄水が溢れ出ることを防ぐことが可能な洗浄水供給装置を提供することを目的とする。
【課題を解決するための手段】
【０００６】
本発明は、便器を洗浄する洗浄水を貯留する貯水部を有する洗浄水タンク内に設けられ、前記貯水部に洗浄水を供給する洗浄水供給装置であって、洗浄水が入水する入水口と洗浄水を前記貯水部内に吐水する吐水口とを連通する洗浄水流路と、この洗浄水流路の中途に設けられた開閉弁と、この開閉弁の上流側に位置する前記洗浄水流路の一部を、前記洗浄水流路の外部に連通させる開口部と、この開口部を塞ぐ蓋体と、この蓋体の少なくとも前記開口部に対面する天井部を覆うカバー部材と、を備え、前記カバー部材は、前記洗浄水流路に入水した洗浄水の水圧により前記蓋体が変位していないときは、前記天井部との間に所定の間隙を保持し、前記洗浄水流路に入水した洗浄水の水圧により前記蓋体の少なくとも一部が前記カバー部材に向けて変位したときは、前記蓋体の変位量を前記所定の間隙の範囲内に規制することを特徴とする洗浄水供給装置である。
【０００７】
このように構成された本発明においては、カバー部材は、洗浄水流路に入水した洗浄水の水圧により蓋体の少なくとも一部がカバー部材に向けて変位したときは、蓋体の変位量を所定の間隙の範囲内に規制する。そのため、蓋体の変位量が所定の間隙の大きさにより決定されるとともに、その蓋体の変位量に応じて変化する開口部から流れ出る洗浄水の量も決定される。従って、万が一、蓋体の破損等により蓋体の少なくとも一部が変位して開口部から洗浄水が流れ出た場合には、その流れ出る洗浄水の量を、所定の間隙の大きさにより適切な量に制御することができるため、洗浄水タンクから洗浄水が溢れ出ることを防止することが可能となる。
【０００８】
本発明においては、さらに、前記カバー部材は、前記蓋体の少なくとも一部の変位の方向をガイドするガイド部を有する構成としてもよい。
【０００９】
このように構成された本発明においては、蓋体の少なくとも一部が洗浄水の水圧により変位するときに、蓋体の変位方向をカバー部材が有するガイド部によりガイドする。そのため、ガイド部により、蓋体の少なくとも一部がより確実にカバー部材に向けて変位するようガイドすることができる。従って、万が一、蓋体の破損等により蓋体の少なくとも一部が変位して開口部から洗浄水が流れ出た場合には、その流れ出る洗浄水の量を、所定の間隙の大きさにより適切な量に制御することができるため、洗浄水タンクから洗浄水が溢れ出ることを防止することが可能となる。
【００１０】
本発明においては、さらに、前記洗浄水流路内に設けられ、前記蓋体の少なくとも一部の変位の方向をガイドするガイド手段を備える構成としてもよい。
【００１１】
このように構成された本発明においては、蓋体の少なくとも一部が洗浄水の水圧により変位するときに、蓋体の変位方向を洗浄水流路内に設けられるガイド手段によりガイドする。そのため、ガイド手段により、蓋体の少なくとも一部がより確実にカバー部材に向けて変位するようガイドすることができる。従って、万が一、蓋体の破損等により蓋体の少なくとも一部が変位して開口部から洗浄水が流れ出た場合には、その流れ出る洗浄水の量を、所定の間隙の大きさにより適切な量に制御することができるため、洗浄水タンクから洗浄水が溢れ出ることを防止することが可能となる。
【００１２】
本発明においては、さらに、前記カバー部材は、下端が開口した逆有底筒状であり、その内底部が前記天井部に対面した状態で前記蓋体と係合し、前記蓋体の少なくとも一部が変位することにより、前記カバー部材の内部には、前記開口部から前記カバー部材の下端開口を介して、洗浄水を前記洗浄水流路外へと案内する案内流路が形成される構成としてもよい。
【００１３】
このように構成された本発明においては、蓋体の少なくとも一部が洗浄水の水圧により変位するときに、洗浄水を洗浄水流路外へ案内する案内流路がカバー部材の内部に形成される。案内流路にて洗浄水が案内されるため、洗浄水が開口部から飛散することがなく、洗浄水タンク外部への洗浄水の飛散が防止される。また、カバー部材が蓋体に係合するため、蓋体を取り外す場合は、カバー部材と同時に取り外すことができ、手間がかからない。
【００１４】
本発明においては、さらに、前記洗浄水流路内の前記開口部よりも上流側に設けられ、洗浄水の流量を一定に制限する定流量手段をさらに備える構成としてもよい。
【００１５】
このように構成された本発明においては、定流量手段が、蓋体の少なくとも一部が洗浄水の水圧により変位するときに、案内流路に至る洗浄水の流量を一定に制限する。そのため、より確実に、開口部から洗浄水流路外へと流れ出る洗浄水の流量を適切な量に制御することができ、洗浄水タンクから洗浄水が溢れ出ることを防止することが可能となる。
【００１６】
本発明は、また、便器を洗浄する洗浄水を貯留する洗浄水タンクであって、前記洗浄水供給装置を備えることを特徴とする洗浄水タンクである。
【００１７】
このように構成された本発明においては、洗浄水供給装置の開口部から洗浄水流路外へと流れ出る洗浄水の流量を適切な量に制御することができ、洗浄水タンクから洗浄水が溢れ出ることを防止することが可能となる。
【発明の効果】
【００１８】
本発明の洗浄水供給装置によれば、万が一、蓋体の破損等により蓋体の少なくとも一部が移動して開口部から洗浄水が流れ出た場合に、その流れ出る洗浄水の量を、所定の間隙の大きさ及びガイド手段により適切な量に制御することができる。そのため、洗浄水タンクから洗浄水が溢れ出ることを防止することが可能となる。
【図面の簡単な説明】
【００１９】
【図１】本発明の一実施形態における洗浄水供給装置が設けられる洗浄水タンク内部を示す断面図。
【図２】本発明の一実施形態における洗浄水供給装置を示す上面図。
【図３】図２のＡ−Ａ断面図。
【図４】図３のＢ−Ｂ断面図。
【図５】本発明の一実施形態における蓋体の一部が変位した状態での洗浄水供給装置を示す断面図。
【図６】本発明において、洗浄水供給装置のカバー部材と蓋体とを、それぞれに設けた孔部と凸部とを係合させることで連結させる実施例を示す断面図。
【図７】本発明において、洗浄水供給装置のカバー部材と洗浄水流路外壁とを連結する実施例を示す断面図。
【図８】（ａ）本発明において、洗浄水供給装置の蓋体に洗浄水の流量を制限する小孔を設けた実施例を示す断面図。（ｂ）（ａ）の蓋体の一部が変位した状態での洗浄水供給装置を示す断面図。
【発明を実施するための形態】
【００２０】
以下、図面を参照して本発明の一実施形態における洗浄水供給装置について説明する。図１は本発明の一実施形態における洗浄水タンクの内部を示す断面図である。
図１に示すように、本発明の一実施形態による洗浄水タンク１は、陶器製の陶器タンク２と、この陶器タンク２の内側に配置され洗浄水を貯留する貯水部である樹脂タンク４と、樹脂タンク４の上部側方に取り付けられ、樹脂タンク４内に洗浄水を供給する洗浄水供給装置６とを有する。
【００２１】
陶器タンク２は、上側に陶器製の手洗蓋８が載せられている。この手洗蓋８の後部中央には手洗い金具１０が立設されている。使用者はこの手洗い金具１０から吐水される洗浄水により手洗いを行うことが可能である。陶器タンク２の側壁には、洗浄レバー１２が取り付けられている。陶器タンク２の底部には、図示しない便器に向けて洗浄水を排出するための流路である排水筒１４が配設されている。また、陶器タンク２の底部側方には、屈曲可能なフレキ管１５が挿通している。このフレキ管１５の一端が、図示しないトイレ室壁面に設けられた図示しない給水源に接続され、フレキ管１５の他端が、洗浄水供給装置６に接続される。つまり、給水源（図示せず）からの水が、フレキ管１５によって陶器タンク２内の洗浄水供給装置６に供給される。
【００２２】
樹脂タンク４は、その側面や底面が発泡スチロールからなる防露層１６にて覆われている。樹脂タンク４の上側には、樹脂板からなる内蓋１８が被せられている。樹脂タンク４の内部には、洗浄レバー１２に繋がれた洗浄アーム２０と、この洗浄アーム２０に玉鎖２２ａ、２２ｂを介してそれぞれ接続された排水弁体２４ａ、２４ｂと、排水筒１４に連通するオーバーフロー管２８とが設けられている。
【００２３】
洗浄アーム２０は、洗浄レバー１２を手前側あるいは奥側へ回動操作することにより手前側あるいは奥側へ回動されるよう構成されている。この手前側あるいは奥側への回動により洗浄アーム２０は玉鎖２２ａ、２２ｂを介して小洗浄用弁体２４ａあるいは大洗浄用弁体２４ｂをそれぞれ上昇させることができる。両弁体２４ａ、２４ｂは上昇することで、樹脂タンク４と排水筒１４を連通させ、排水筒１４を介して洗浄水を便器（図示せず）へと排出させる。なお、玉鎖２２ａ、２２ｂには、それぞれ排水フロート２６ａ、２６ｂが設けられており、この排水フロート２６ａ、２６ｂにより、樹脂タンク４内の洗浄水の水位が所定の高さに低下するまで両弁体２４ａ、２４ｂの上昇がそれぞれ維持される。
【００２４】
樹脂タンク４内における側方には、上端が開口され下端が排水筒１４に連通するオーバーフロー管２８が設けられている。このオーバーフロー管２８により、万が一、樹脂タンク４内において洗浄水の水位が通常の貯水水位である満水水位ＷＬより上昇し、オーバーフロー管２８上端に到達する水位ＯＬを越えても、オーバーフロー管２８の上端開口部から排水筒１４を経由して便器（図示せず）へと洗浄水が排出される。
【００２５】
次に、図２〜図４を参照して、本発明の一実施形態における洗浄水供給装置の詳細について説明する。図２は本発明の一実施形態における洗浄水供給装置を示す上面図、図３は図２のＡ−Ａ断面図、図４は図３のＢ−Ｂ断面図である。
図２及び図３に示すように、洗浄水供給装置６は、フレキ管１５の他端が接続され洗浄水が入水する入水口６００と、洗浄水を樹脂タンク４内に吐水する吐水口６０２と、入水口６００と吐水口６０２とを連通する洗浄水流路６０４とを備える。さらに、洗浄水供給装置６は、洗浄水流路６０４の中途に設けられた開閉弁６０６と、この開閉弁６０６を開閉するための給水フロート６０７とを備える。また、洗浄水供給装置６は、開閉弁６０６の上流側に位置する洗浄水流路６０４の一部を、洗浄水流路６０４の外部に連通させる開口部６０８と、この開口部６０８を塞ぐ蓋体６１０と、この蓋体６１０を覆うカバー部材６１２とを備える。
【００２６】
洗浄水流路６０４は、上流側から下流側にかけて、上下方向に延びる第一流路６０４ａと、この第一流路６０４ａと連通し、水平方向に延びる第二流路６０４ｂと、この第二流路６０４ｂと開閉弁６０６を介して連通し、第二流路６０４ｂと平面視で直交して水平方向に延びる第三流路６０４ｃとを有する。
【００２７】
第一流路６０４ａにおいては、その下側にフレキ管１５の下流側の端部が接続される開口である入水口６００を設けてあり、上側には、上記のとおり蓋体６１０により塞がれる開口部６０８を設けている。第一流路６０４ａ内は、図３には明確にあらわれていないが、下方から上方、即ち、入水口６００側から開口部６０８側に向けてわずかに拡開するテーパ形状となっている。また、第一流路６０４ａには、フィルタ６１４と、定流量手段である定流量ユニット６１６とが上流側から順に同軸状に内装されている。なお、本実施形態においては、フィルタ６１４と定流量ユニット６１６とは別部材であるが、これらは１つの部材として形成してもよい。
【００２８】
フィルタ６１４は、全体として略円筒状の部材であり、外周壁には所定の間隔で長孔状の開口が複数開設され、この長孔状の開口にはメッシュが一体的に取り付けられる。この長孔状の開口に取り付けられたメッシュにより、入水口６００から第一流路６０４ａに入水した洗浄水に含まれる異物を取り除くことができる。また、この長孔状の開口の上方には環状の溝部が設けられ、この環状の溝部は第一流路６０４ａ内壁に設けられた環状の凸部に係合される。このような構成により、洗浄水にメッシュを通過させ、フィルタ６１４内部へと流入させる。
【００２９】
定流量ユニット６１６は、定流量弁６１６ａと、この定流量弁６１６ａを上流側へ付勢するコイルバネであるバネ６１６ｂと、このバネ６１６ｂが取り付けられるバネ取り付け部６１６ｃとを有する。
【００３０】
定流量弁６１６ａは、フィルタ６１４の下流側（図３及び図５における上側）に設けられる。また、定流量弁６１６ａは、各種水栓装置等に使用される周知の構成の定流量弁であり、全体として略円筒状に構成され、内部に給水圧により径方向に変形可能Ｏリングを有する。
【００３１】
バネ６１６ｂは上流側（図３及び図４における下側）に向けて定流量弁６１６ａを付勢する。バネ６１６ｂは、洗浄水の給水圧が無い状態で、フィルタ６１４の上部に定流量弁６１６ａを当接させる。
【００３２】
バネ取り付け部６１６ｃは、両端が開口した略円筒状の部材で、内部に段差を有しており、この段差にバネ６１６ｂが取り付けられる。また、バネ取り付け部６１６ｃの上端は、後述する蓋体６１０の内周円筒部６１０ｂに嵌合される。バネ６１６ｂを覆う下方の外周壁の外周側には環状の溝部が設けられ、この環状の溝部にＯリング６１６ｄが嵌合される。このＯリング６１６ｄが嵌合される溝部の位置は、定流量ユニット６１６が内装された状態で、上方に向けわずかに拡開している第一流路６０４ａ内壁により、Ｏリング６１６ｄの径を、定流量ユニット６１６が内装される前の状態よりも小さく変形させる位置である。また、Ｏリング６１６ｄ上方の外周壁には所定の間隔で長孔状の開口が複数開設される。この長孔状の開口は、定流量ユニット６１６を第一流路６０４ａに内装した状態で、第一流路６０４ａと第二流路６０４ｂとの連絡部と重畳する位置に配設されている。このような構成により、Ｏリング６１６ｄは、バネ取り付け部６１６ｃの外周側と第一流路６０４ａとの間の水密性を確保し、定流量弁６１６ａを通過した洗浄水を長孔状の開口を介して第二流路６０４ｂへと流入させる。
【００３３】
このような構成により、定流量ユニット６１６は、フィルタ６１４内部から流入して定流量ユニット６１６から下流側へ流出する洗浄水の流量を、給水圧が変動しても、一定に保持することができる。具体的には、洗浄水の給水圧が小さいときは、定流量弁６１６ａは、バネ６１６ｂの付勢力に抗してバネ取り付け部６１６ｃ側へと変位するものの、バネ取り付け部６１６ｃに当接しない。この状態では、洗浄水は、定流量弁６１６ａ内部（流路面積最大）及び定流量弁６１６ａとフィルタ６１４との間を通過する。洗浄水の給水圧が上昇して通常程度の大きさとなると、定流量弁６１６ａは、バネ６１６ｂの付勢力に抗する変位によってバネ取り付け部６１６ｃに当接する。この状態では、定流量弁６１６ａとフィルタ６１４との間を通過した洗浄水の流路が、バネ取り付け部６１６ｃに当接した定流量弁６１６ａにより塞がれるため、洗浄水は、定流量弁６１６ａ内部（流路面積最大）のみを通過する。さらに洗浄水の給水圧が上昇して通常よりも大きくなると、定流量弁６１６ａがバネ取り付け部６１６ｃに当接した状態のまま、定流量弁６１６ａの内部のＯリングが径方向に変形して定流量弁６１６ａ内部における流路面積が狭くなる。この状態では、洗浄水は、流路面積の狭くなった定流量弁６１６ａ内部のみを通過する。
【００３４】
開閉弁６０６は、バルブハウジング６０６ａと、このバルブハウジング６０６ａ内に上下方向に移動可能に設けられてシート面６０６ｂを開閉するダイヤフラム６０６ｃと、このダイヤフラム６０６ｃに取り付けられバルブハウジング６０６ａ内をダイヤフラム６０６ｃとともに一体的に上下方向に移動可能な弁体６０６ｄとを有している。また、ダイヤフラム６０６ｃには、図示しないパイロット穴が形成され、このパイロット穴により、洗浄水流路６０４の第二流路６０４ｂとダイヤフラム６０６ｃの上側の空間である背圧室６０６ｅとが連通されている。この背圧室６０６ｅの上部には、背圧抜き穴６０６ｆが形成されている。
【００３５】
さらに、バルブハウジング６０６ａの上面には、レバーアーム３０が取り付けられている。このレバーアーム３０は、一端から他端にかけてクランク状に延びており、一端がバルブハウジング６０６ａの上面に回動可能に取り付けられ、他端が給水フロート６０７の中心部から突出した主軸部６０７ａに固定されている。また、レバーアーム３０の一端には、背圧抜き穴６０６ｆを開閉するトップシール３０ａが取り付けられている。
このような構成により、レバーアーム３０は、その他端が給水フロート６０７と共に上下動することにより、レバーアーム３０の一端が揺動運動できるようになっており、背圧抜き穴６０６ｆを開閉することで、開閉弁６０６の開閉が切り替えられるようになっている。具体的には、トップシール３０ａが背圧抜き穴６０６ｆを閉じると、ダイヤフラム６０６ｃのパイロット穴（図示せず）により、背圧室６０６ｅと洗浄水流路６０４の第二流路６０４ｂ（上流側）とが連通されているので、背圧室６０６ｅと第二流路６０４ｂ内の圧力が等しくなる。この状態では、ダイヤフラム６０６ｃにおける面積の大小関係（背圧室側面積＞上流側面積）により、ダイヤフラム６０６ｃ及び弁体６０４ｄは閉弁する。トップシール３０ａが開閉弁６０６の背圧抜き穴６０６ｆを開放すると、背圧室６０６ｅは大気開放となる。この状態では、ダイヤフラム６０６ｃ及び弁体６０６ｄは、第二流路６０４ｂ側（上流側）の給水圧により押されて上方に移動し、開弁する。
【００３６】
第二流路６０４ｂと開閉弁６０６を介して連通する第三流路６０４ｃは、吐水口６０２及び手洗い給水管３３に連通している。開閉弁６０６が開放されることで、吐水口６０２から洗浄水を樹脂タンク４内へと吐水するとともに、手洗い給水管３３により手洗い金具１０へと洗浄水を供給する。
【００３７】
上述したように、洗浄水流路６０４の第一流路６０４ａの上方側には、洗浄水流路６０４の一部を洗浄水流路６０４外部へと連通する開口部６０８を設けている。開口部６０８は、着脱可能な蓋体６１０により塞がれる。このため、蓋体６１０を開口部６０８から取り外すことで、開口部６０８からは、第一流路６０４ａに内装されたフィルタ６１４及び定流量ユニット６１６を取り出し可能で、フィルタ６１４及び定流量ユニット６１６の取り替えやメンテナンス等を行うことができる。なお、本実施形態においては、蓋体６１０は開口部６０８から取り外し可能となっているが、フィルタ６１４及び定流量ユニット６１６等のメンテナンスが必要な部材を洗浄水流路６０４内に設けない場合には、取り外し可能としなくともよい。
【００３８】
蓋体６１０は、ポリアセタール製で、開口部６０８と対面した略円板状の天井部６１０ａと、この天井部６１０ａの下面側から延出し天井部６１０ａと同心円状に形成された内周円筒部６１０ｂ及び外周円筒部６１０ｃとを備え、全体として略円筒状に構成される。内周円筒部６１０ｂの外周面と外周円筒部６１０ｃの内周面との間には、下側に開口する円筒状の空間が形成される。外周円筒部６１０ｃの内壁には雌ネジが形成されており、開口部６０８周縁の第一流路６０４ａ外壁に形成された雄ネジと螺合する。この螺合により、内周円筒部６１０ｂが開口部６０８から第一流路６０４ａ内へと受け入れられるとともに、開口部６０８が天井部６１０ａにより塞がれる。つまり、蓋体６１０は、内周円筒部６１０ｂを開口部６０８の開口内部に挿入させるとともに、内周円筒部６１０ｂと外周円筒部６１０ｃとの間の円筒状の空間に開口部６０８の開口端部を嵌合させた態様で、外周円筒部６１０ｃの内周ネジ部を開口端部の外周ネジ部にネジ係合させ、開口部６０８に取り付けられる。
【００３９】
また、蓋体６１０は、内周円筒部６１０ｂの外周面に形成された環状の溝部に、Ｏリング６１０ｄを嵌合している。このＯリング６１０ｄが嵌合される溝部の位置は、内周円筒部６１０ｂが第一流路６０４ａに受け入れられた状態で、上方に向けわずかに拡開している第一流路６０４ａ内壁により、Ｏリング６１０ｄの径を受け入れられる前よりも小さく変形させる位置である。このような構成により、内周円筒部６１０ｂの外周側と第一流路６０４ａ内壁との間の水密性を確保している。さらに、蓋体６１０は、カバー部材６１２に覆われる。本実施形態では、カバー部材６１２は、蓋体６１０を全体的に覆う態様で構成されているが、カバー部材６１２としては、蓋体６１０の少なくとも天井部６１０ａを覆うように設けられる構成であればよい。
【００４０】
カバー部材６１２は、ポリプロピレン製で、下端が開口した逆有底筒状である。カバー部材６１２の周壁の下端には、内周側へ突出した複数のフック部６１２ａが形成されている。また、カバー部材６１２の上端部には縮径部が設けられており、この縮径部によって、カバー部材６１２の内側及び外側に段差が形成されている。フック部６１２ａが蓋体６１０の外周円筒部６１０ｃ下端と係合することにより、カバー部材６１２の内底部が蓋体６１０の天井部６１０ａに対面した状態で、カバー部材６１２と蓋体６１０とが連結される。また、カバー部材６１２は、蓋体６１０と連結された状態で、蓋体６１０の天井部６１０ａとカバー部材６１２の内底部との間に、所定の間隙である上部間隙３４が生じるように形成されている。詳細には、上部間隙３４は、蓋体６１０の上端面と、カバー部材６１２の上端部の縮径部によって内側に形成された段差における下側の面との間の寸法を隙間寸法として規定される空間である。さらに、図４に示すように、外周円筒部６１０ｃとカバー部材６１２の内周面との間に、カバー部材６１２の上下方向に沿う側部間隙３６が複数生じるよう、カバー部材６１２の周面には複数の凸部３６ａが形成されている。本実施形態では、凸部３６ａは、カバー部材６１２の周方向に沿って所定の間隔を隔てて４箇所に設けられている。凸部３６ａは、カバー部材６１２の内部空間を部分的に径方向外側に拡大させ、蓋体６１０の外周円筒部６１０ｃの外周面とカバー部材６１２の内周面との間に側部間隙３６を形成する。
【００４１】
本実施形態では、カバー部材６１２は、ポリプロピレン製であるが、カバー部材６１２を形成する材料はポリプロピレンに限定されるものではなく、例えば、ポリフェニレンサルファイド等であってもよい。ただし、カバー部材６１２を構成する材料は、耐薬品性に優れた材料であることが好ましい。このように、耐薬品性に優れたカバー部材６１２で蓋体６１０を覆うことにより、ポリプロピレン等に対して耐薬品性に劣るポリアセタールで形成された蓋体６１０にポリアセタールを劣化させる酸性洗剤等が付着することを抑制することができる。
【００４２】
次に、図５を参照して、本発明の実施形態における洗浄水供給装置のカバー部材の詳細について説明する。図５は本発明の一実施形態における蓋体の一部が変位した状態での洗浄水供給装置を示す断面図である。
図５に示すように、蓋体６１０は、洗浄水流路６０４に入水した洗浄水の水圧の作用により、開口部６０８に固定された部分に対して一部を分離させた態様となる。開口部６０８に固定された部分から分離した蓋体６１０の一部は、洗浄水の水圧によって上方に向けて変位する。このように洗浄水流路６０４に入水した洗浄水の水圧により蓋体６１０の一部が分離して上方に向けて変位するとき、カバー部材６１２は、その内底部により、蓋体６１０の分離部分の変位量を上部間隙３４の範囲内に規制する。詳細には、カバー部材６１２は、上記のとおり上端部の縮径部によって内側に形成された段差における下側の面に、蓋体６１０の分離部分を当接させることで、蓋体６１０の分離部分の変位量を規制する。
【００４３】
このように、本実施形態の洗浄水供給装置６において、カバー部材６１２は、洗浄水流路６０４に入水した洗浄水の水圧により蓋体６１０の分離部分が変位する前は、天井部６１０ａとの間に所定の間隙を保持する。また、カバー部材６１２は、洗浄水流路６０４に入水した洗浄水の水圧により蓋体６１０の少なくとも分離部分がカバー部材６１２に向けて変位したときは、蓋体６１０の分離部分の変位量を所定の間隙の範囲内に規制する。
【００４４】
図５に示す例では、蓋体６１０のうち天井部６１０ａと外周円筒部６１０ｃの上端部分と内周円筒部６１０ｂとが、開口部６０８の上端に螺合した状態の外周円筒部６１０ｃから分離して上方に向けて変位した状態を示している。このような蓋体６１０の分離態様は、蓋体６１０においては、開口部６０８に螺合した外周円筒部６１０ｃの部分とそれ以外の部分との境界部分が、給水圧によって比較的高い応力を受けることに起因する。また、こうした蓋体６１０の分離は、例えば、酸性洗剤、アルカリ性洗剤や芳香洗浄剤の付着による劣化を原因として生じる。
【００４５】
また、カバー部材６１２の内周面６１２ｂは、この蓋体６１０の分離部分の変位の方向を上方、即ち、カバー部材６１２の内底部に向けてガイドするガイド部として機能する。さらに、洗浄水流路６０４の第一流路６０４ａに内装されるフィルタ６１４及び定流量ユニット６１６は、洗浄水の水圧により上方に向けて第一流路６０４ａ内壁に沿って、上述した蓋体６１０の分離部分とともに一体的に上方に向けて変位する。このとき、定流量ユニット６１６は、洗浄水流路６０４内に設けられ、内周円筒部６１０ｂの下端を介して蓋体６１０の変位の方向をガイドするガイド手段として機能する。
【００４６】
カバー部材６１２は、蓋体６１０の内周円筒部６１０ｂに嵌合されたＯリング６１０ｄが上方に向けて変位するとき、上部間隙３４の大きさが、開口部６０８よりも上方にＯリング６１０ｄを位置させる大きさになるように形成されている。さらに、この上部間隙３４の大きさは、バネ取り付け部６１６ｃに嵌合されたＯリング６１６ｄが上方に向けて変位するとき、上方に向けてわずかに拡開する第一流路６０４ａ内壁により、Ｏリング６１６ｄの径が小さく変形された状態が維持される範囲内へと、Ｏリング６１６ｄを位置させる大きさである。
【００４７】
このような構成により、蓋体６１０の一部が洗浄水の水圧により変位したとき、フィルタ６１４の外周側と第一流路６０４ａ内壁及びバネ取り付け部６１６ｃの外周側と第一流路６０４ａ内壁との水密性が確保される。そのため、入水口６００から入水してフィルタ６１４を通過した洗浄水は、定流量ユニット６１６を通過して、流量を一定に制限されて、第二流路６０４ｂ及び第一流路６０４ａと第二流路６０４ｂとの連絡部よりも上方の開口部６０８側へと流れる。このとき、蓋体６１０の内周円筒部６１０ｂと第一流路６０４ａ内壁との間の水密性は確保されないため、内周円筒部６１０ｂと第一流路６０４ａとの間から、開口部６０８へ向けて洗浄水が流れる。開口部６０８に至った洗浄水は、蓋体６１０の分離面間を通って、案内流路３８を介して第一流路６０４ａ外へと流れ出る。案内流路３８は、蓋体６１０の一部が洗浄水の水圧により変位したときにカバー部材６１２内部に形成される流路である。具体的には、案内流路３８は、開口部６０８から流れ出た洗浄水が、変位した蓋体６１０の一部（分離部分）と変位しない蓋体６１０の一部との間（分離面間）、及び、側部間隙３６を通過し、カバー部材６１２の下端開口６１２ｃに至る流路である。
【００４８】
以下、本実施形態における洗浄水供給装置６の動作について説明する。
まず、給水源（図示せず）から供給される洗浄水がフレキ管１５を介して、入水口６００から洗浄水流路６０４の第一流路６０４ａへ入水する。第一流路６０４ａへ入水した洗浄水は、フィルタ６１４によりこの洗浄水に含まれる異物を取り除かれ、定流量ユニット６１６へ流入する。定流量ユニット６１６に流入した洗浄水はその給水圧に関わらず一定の流量に制限され、第二流路６０４ｂへと流入する。ただし、この際、蓋体６１０は洗浄水の水圧により変位していない状態であるとする。
【００４９】
ここで、樹脂タンク４内に洗浄水が十分に貯水されている場合には、洗浄水の水位は満水水位ＷＬ（図１参照）となっている。このとき、給水フロート６０７は、洗浄水の水位に応じて上方位置まで上昇しており、その浮力により、レバーアーム３０の給水フロート６０７側端部は、上方向に付勢され、レバーアーム３０のバルブハウジング６０６ａ側端部が下方に押し下げられた状態となる。
【００５０】
この結果、レバーアーム３０のバルブハウジング６０６ａ側端部のトップシール３０ａが開閉弁６０６の背圧抜き穴６０６ｆを閉じる。このとき、ダイヤフラム６０６ｃのパイロット穴（図示せず）により、背圧室６０６ｅと洗浄水流路６０４の第二流路６０４ｂ（上流側）とが連通されているので、背圧室６０６ｅと第二流路６０４ｂ内の圧力が等しくなる。その結果、ダイヤフラム６０６ｃの面積の大小関係（背圧室側面積＞上流側面積）により、ダイヤフラム６０６ｃ及び弁体６０４ｄは下方に移動し、閉弁した状態となっているため、洗浄水は開閉弁６０６より下流には流れない。
【００５１】
次に、便器（図示せず）の使用後には、便器使用者が洗浄レバー１２を回動操作した場合、例えば、大洗浄の場合には、レバーアーム３０が回動し、玉鎖２２ａ、２２ｂを介して小洗浄用弁体２４ａ及び大洗浄用弁体２４ｂの双方が上昇する。この上昇は、排水フロート２６ａ、２６ｂの浮力により保たれる。排水弁体２４ａ、２４ｂの上昇により、樹脂タンク４内と排水筒１４とが連通し、排水筒１４を介して樹脂タンク４内に貯水された洗浄水を便器（図示せず）へ流して洗浄を行なう。樹脂タンク４内の洗浄水の水位は低下して行き、最後には、樹脂タンク４は空状態となる。
【００５２】
その後、洗浄水の水位の低下に応じて排水フロート２６ａ、２６ｂの位置が下降し、両弁体２４ａ、２４ｂも下降する。このとき、給水フロート６０７は下方位置まで下降し、洗浄水から露出し、空中でレバーアーム３０にぶら下がった状態となっている。レバーアーム３０のバルブハウジング６０６ａ側端部は、給水フロート６０７の重量により、上方に押し上げられる。このとき、レバーアーム３０のバルブハウジング６０６ａ側端部のトップシール３０ａが開閉弁６０６の背圧抜き穴６０６ｆを開放し、背圧室６０６ｅは大気開放となる。その結果、ダイヤフラム６０６ｃ及び弁体６０６ｄは、第二流路６０４ｂ側（上流側）の給水圧により押されて上方に移動し、開弁状態となる。
【００５３】
開閉弁６０６が開弁状態となれば、洗浄水が第二流路６０４ｂから第三流路６０４ｃへと流入する。第三流路６０４ｃへ流入した洗浄水は吐水口６０２から樹脂タンク４内へと吐水される。また、第三流路６０４ｃへ流れ込んだ洗浄水の一部は手洗い給水管３３を通過して手洗い金具１０から手洗蓋８上面に吐水される。手洗蓋８上面に吐水された洗浄水は、手洗蓋８上面の中央部の開口から樹脂タンク４内へと流れ落ちる。
【００５４】
この後、樹脂タンク４内の水位が満水水位ＷＬまで上昇すると、上述したように、開閉弁６０６は閉じられ、樹脂タンク４内への洗浄水の供給は停止される。
【００５５】
次に、上述した洗浄水供給装置６の動作において、蓋体６１０の一部が洗浄水により変位した場合について説明する。例えば、フィルタ６１４のメンテナンスのため、カバー部材６１２とともに蓋体６１０を取り外した際に、芳香洗浄剤が蓋体６１０に付着し、再び蓋体６１０で開口部６０８を塞いだ後に芳香洗浄剤による劣化がすすみ、蓋体６１０の外周円筒部６１０ｃの一部が天井部６１０ａから破断した場合を考える（図５参照）。
【００５６】
この場合、蓋体６１０の内周円筒部６１０ｂが、第一流路６０４ａ内に入水した洗浄水の下方からの水圧を受け、天井部６１０ａとともに、開口部６０８に固定された外周円筒部６１０ｃに対して分離し、一体的に変位する。この蓋体６１０の分離部分の変位の方向はカバー部材６１２の内周面６１２ｂによりガイドされる。即ち、蓋体６１０の分離部分である天井部６１０ａ及び内周円筒部６１０ｂは、天井部６１０ａの外周面をカバー部材６１２の内周面６１２ｂに対する摺動面として、内周面６１２ｂに沿って、カバー部材６１２内部をカバー部材６１２の内底部に向けて、上方へと変位する。このときの蓋体６１０の分離部分の上方への変位量は上部間隙３４の範囲内に制限される。
【００５７】
また、第一流路６０４ａに内装されたフィルタ６１４及び定流量ユニット６１６は、洗浄水流路６０４の第一流路６０４ａに入水した洗浄水の下方からの水圧を受ける。そのため、蓋体６１０の天井部６１０ａ及び内周円筒部６１０ｂが上方へと変位するのに伴い、これら第一流路６０４ａに内装された部材も上方へと一体的に変位する。このときの変位量は上部間隙３４の大きさと同じ大きさの範囲内に制限される。また、この第一流路６０４ａに内装された部材の上方への変位は、第一流路６０４ａ内壁に沿ってなされるため、定流量ユニット６１６の上端が嵌合する内周円筒部６１０ｂ下端を介して、天井部６１０ａ及び内周円筒部６１０ｂは上方に向けてさらに変位方向をガイドされる。
【００５８】
蓋体６１０の分離部分が、カバー部材６１２の内底部に向けて変位し、その変位量は、天井部６１０ａとカバー部材６１２の内底部との間の上部間隙３４の範囲内に規制される。蓋体６１０の分離部分の変位に伴い、その蓋体６１０の分離部分と外周円筒部６１０ｃとの間、及び、カバー部材６１２の側部間隙３６を経て、カバー部材６１２の下端開口６１２ｃに至る流路である案内流路３８が形成される。また、内周円筒部６１０ｂに嵌合されたＯリング６１０ｄが開口部６０８よりも上方へと変位するとともに、バネ取り付け部６１６ｃに嵌合されたＯリング６１６ｄが、第二流路６０４ｂの上流端よりも下方の、第一流路６０４ａ内壁との水密性が維持される位置へと変位する。
【００５９】
入水口６００から入水してフィルタ６１４を通過した洗浄水は、定流量ユニット６１６へ流入して一定の流量に制限された後、第二流路６０４ｂ及び開口部６０８へ向けて流れる。蓋体６１０の分離部分の変位に伴い、開口部６０８に向けて流れてきた洗浄水は、内周円筒部６１０ｂと第一流路６０４ａとの間から、開口部６０８へと至る。開口部６０８へ至った洗浄水は、開口部６０８から案内流路３８を経て洗浄水供給装置６外、即ち、洗浄水タンク１内へと流出する。洗浄水タンク１内へと流出した洗浄水は、オーバーフロー管２８及び排水筒１４を介して、便器（図示せず）へと流れ出る。
【００６０】
上述した本発明の一実施形態における洗浄水供給装置６においては、カバー部材６１２は、洗浄水流路６０４に入水した洗浄水の水圧により蓋体６１０の一部（分離部分）がカバー部材６１２に向けて変位したときは、蓋体６１０の変位量を上部間隙３４の範囲内に規制する。そのため、蓋体６１０の変位量が上部間隙３４の大きさにより決定されるとともに、その蓋体６１０の変位量に応じて変化する開口部６０８から流れ出る洗浄水の量も決定される。従って、万が一、蓋体６１０の破損等により蓋体６１０の一部が変位して開口部６０８から洗浄水が流れ出た場合には、その流れ出る洗浄水の量を、上部間隙３４の大きさにより適切な量、即ちオーバーフロー管２８により便器（図示せず）へと流すことのできる量へと制御することができる。開口部６０８から流出する洗浄水の量が、オーバーフロー管２８により便器（図示せず）へと流すことのできる量になるため、万が一、高い給水圧が作用して開口部６０８へ至る洗浄水量が上昇しても、洗浄水タンク１から洗浄水が溢れ出ることが防止される。また、このとき、洗浄レバー１２を操作せずとも、便器（図示せず）へと洗浄水が流れ出る状態が続くため、この状態を使用者が視認することで、開口部６０８から洗浄水が流出していることを、使用者が認識することが可能となる。つまり、洗浄レバー１２の操作によらない便器への洗浄水の流出状態により、蓋体６１０が分離して開口部６０８から洗浄水が流出している状態を、使用者に報知することができる。
【００６１】
また、上述した本発明の一実施形態における洗浄水供給装置６においては、蓋体６１０の一部が洗浄水の水圧により変位するときに、カバー部材６１２の内周面６１２ｂが、蓋体６１０の変位方向をガイドするガイド部として機能する。そのため、内周面６１２ｂにより、蓋体６１０の一部がカバー部材６１２の内底部に向けて変位するようガイドすることができる。従って、万が一、蓋体６１０の破損等により蓋体６１０の少なくとも一部が変位して開口部６０８から洗浄水が流れ出た場合には、その流れ出る洗浄水の量を、上部間隙３４の大きさにより適切な量、即ちオーバーフロー管２８により便器（図示せず）へと流すことのできる量へと制御することができる。
【００６２】
さらに、第一流路６０４ａに内装される定流量ユニット６１６が、蓋体６１０の変位方向をガイドするガイド手段として機能する。そのため、蓋体６１０の一部が洗浄水の水圧により変位するときに、蓋体６１０をカバー部材６１２の内底部に向けて変位するように、より確実にガイドすることができる。
【００６３】
上述した本発明の一実施形態においては、蓋体６１０の一部が洗浄水の水圧により変位するときに、この変位の方向をカバー部材６１２の内周面６１２ｂがガイドするとともに、さらに、定流量ユニット６１６も蓋体６１０の変位方向をガイドする。本発明は、このような形態に限定されるものではなく、例えば、内周面６１２ｂのみで蓋体６１０の変位方向をガイドしてもよい。また、定流量ユニット６１６により蓋体６１０の変位方向をガイドして、内周面６１２ｂでのガイドを行わずともよい。
【００６４】
上述した本発明の一実施形態における洗浄水供給装置６においては、カバー部材６１２は、下端が開口した逆有底筒状であり、その内底部が天井部６１０ａに対面した状態で蓋体６１０と係合する。さらに、蓋体６１０の一部（分離部分）が洗浄水の水圧により変位することにより、カバー部材６１２の内部には、開口部６０８からカバー部材６１２の下端開口６１２ｃを介して、洗浄水を洗浄水流路６０４外へと案内する案内流路３８が形成される。そのため、案内流路３８にて洗浄水が案内され、カバー部材６１２の下端開口６１２ｃから下方へ向けて洗浄水が流れ出て、洗浄水が開口部６０８から上方や側方へと飛散することがない。従って、陶器タンク２と手洗蓋８との隙間等から、洗浄水タンク１外部へ洗浄水が飛散することが防止される。
【００６５】
また、上述した本発明の一実施形態における洗浄水供給装置６においては、カバー部材６１２の周壁下端に設けられた複数のフック部６１２ａにより、カバー部材６１２は蓋体６１０に係合する。そのため、第一流路６０４ａ内の部材のメンテナンスや取り替えを行うために、蓋体６１０を取り外す場合は、カバー部材６１２と同時に取り外すことができ、手間がかからない。この際、カバー部材６１２の外周面に設けられた複数の凸部３６ａが、カバー部材６１２を蓋体６１０とともに回転させるための把持面の凹凸を形成する。なお、本発明において、カバー部材６１２と蓋体６１０との連結は、このような形態に限定されるものではない。例えば、図６に示すように、蓋体６１０の外周円筒部６１０ｃの外壁下部に複数の凸部４０を設けるとともに、カバー部材６１２の周壁に孔部４２を設け、この孔部４２と凸部４０とを係合させることで、カバー部材６１２と蓋体６１０とを連結させてもよい。また、本発明において、カバー部材６１２は、蓋体６１０ではなく、洗浄水タンク１内の他の部材、例えば、図７に示すように、フック部６１２ａにより洗浄水流路６０４外壁に連結されてもよい。
【００６６】
上述した本発明の一実施形態における洗浄水供給装置６においては、洗浄水流路６０４内の開口部６０８よりも上流側に設けられ、洗浄水の流量を一定に制限可能とした定流量ユニット６１６を備える。蓋体６１０の一部が洗浄水の水圧により変位するとき、この変位に伴って定流量ユニット６１６も上方へと変位するが、この定流量ユニット６１６は変位の有無に係わらず、第一流路６０４ａから第二流路６０４ｂ及び開口部６０８へと向う洗浄水の流量を一定に制限する。そのため、より確実に、開口部６０８から案内流路３８を介して洗浄水流路６０４外へと流れ出る洗浄水の流量を適切な量に制御することができ、洗浄水タンク１から洗浄水が溢れ出ることを防止することが可能となる。
【００６７】
なお、本発明において、案内流路３８に至る洗浄水の流量を制限する方法は、このような形態に限定されるものではない。例えば、図８（ａ）及び（ｂ）に示すように、蓋体６１０が、案内流路３８に至る洗浄水の流量を制限する手段を備えてもよい。図８（ａ）は本発明において、洗浄水供給装置の蓋体に洗浄水の流量を制限する小孔を設けた実施例を示す断面図、（ｂ）は（ａ）の蓋体の一部が変位した状態での洗浄水供給装置を示す断面図である。
【００６８】
具体的には、蓋体６１０は、蓋体６１０の内周円筒部６１０ｂの内壁から外壁へ向けて開設される小孔４４を備え、この小孔４４の大きさ及び形状により案内流路３８に至る洗浄水の流量を制限する。この場合、内周円筒部６１０ｂには、小孔４４の上方及び下方に環状溝が設けられ、この環状溝にそれぞれＯリング４４ａ、４４ｂを嵌合する。小孔４４の上方に設けられるＯリング４４ａは、内周円筒部６１０ｂの外周側と第一流路６０４ａ内壁との間の水密性を確保し、蓋体６１０の一部が洗浄水の水圧により変位するときには、開口部６０８よりも上方へと変位する。また、小孔４４の下方に設けられるＯリング４４ｂは、蓋体６１０の一部が洗浄水の水圧により変位するときに、開口部６０８の内部に留まり、内周円筒部６１０ｂの外周側と第一流路６０４ａ内壁との間の水密性を確保する。このような構成とすることで、蓋体６１０の少なくとも一部が洗浄水の水圧により変位するとき、洗浄水は小孔４４を通過して、その際に流量を制限され、案内流路３８へと至る。
【符号の説明】
【００６９】
１…洗浄水タンク
２…陶器タンク
４…樹脂タンク
６…洗浄水供給装置
８…手洗蓋
１０…手洗い金具
１２…洗浄レバー
１４…排水筒
１５…フレキ管
１６…防露層
１８…内蓋
２０…洗浄アーム
２２ａ、２２ｂ…玉鎖
２４ａ…小洗浄用弁体
２４ｂ…大洗浄用弁体
２６ａ、２６ｂ…排水フロート
２８…オーバーフロー管
３０…レバーアーム
３０ａ…トップシール
３３…手洗い給水管
３４…上部間隙
３６…側部間隙
３６ａ…凸部
３８…案内流路
４０…凸部
４２…孔部
４４…小孔
４４ａ、４４ｂ…Ｏリング
６００…入水口
６０２…吐水口
６０４…洗浄水流路
６０４ａ…第一流路
６０４ｂ…第二流路
６０４ｃ…第三流路
６０６…開閉弁
６０６ａ…バルブハウジング
６０６ｂ…シート面
６０６ｃ…ダイヤフラム
６０６ｄ…弁体
６０６ｅ…背圧室
６０６ｆ…背圧抜き穴
６０７…給水フロート
６０７ａ…主軸部
６０８…開口
６１０…蓋体
６１０ａ…天井部
６１０ｂ…内周円筒部
６１０ｃ…外周円筒部
６１０ｄ…Ｏリング
６１２…カバー部材
６１２ａ…フック部
６１２ｂ…内周面
６１２ｃ…下端開口
６１４…フィルタ
６１６…定流量ユニット
６１６ａ…定流量弁
６１６ｂ…バネ
６１６ｃ…バネ取り付け部
６１６ｄ…Ｏリング
【図１】
2014070395.tif 000003
【図２】
2014070395.tif 000004
【図３】
2014070395.tif 000005
【図４】
2014070395.tif 000006
【図５】
2014070395.tif 000007
【図６】
2014070395.tif 000008
【図７】
2014070395.tif 000009
【図８】
2014070395.tif 000010